(57)【要約】【課題】本発明は、キャビネットに収納された際の美感が優れており、座部がワゴン本体に対して回動するのを防止することができるワゴン、並びに、前記ワゴンが収納された際の美感が優れたキャビネットシステムを提供することを課題とする。【解決手段】上記課題を解決するため、本発明は、ワゴン本体３と、ワゴン本体３を移動させる移動手段２２と、作業者が座ることができる座部２６と、内部に物を収納するための収納部３７とを備え、キャビネットＡに収容可能なワゴンＢであって、ワゴン本体３の上部に設置された座部２６をワゴン本体３に対して相対的に回動させることによって座部２６の下方に設置された収納部３７の開口３８を開閉し、前記座部２６を閉じた状態で回動不能にさせることができるロック機構５０を有することを特徴とした。【選択図】図７
2008113794.tif 000002
【特許請求の範囲】
【請求項１】
ワゴン本体と、ワゴン本体を移動させる移動手段と、作業者が座ることができる座部と、ワゴン内部に物を収納するための収納部とを備え、キャビネットに収容可能なワゴンであって、ワゴン本体の上部に設置された座部をワゴン本体に対して相対的に回動させることによって座部の下方に設置された収納部の開口を開閉し、前記座部を閉じた状態で回動不能にさせることができるロック機構を有することを特徴とするワゴン。
【請求項２】
前記座部によって収納部の開口が閉じられると、ロック機構によって座部が自動的に回動不能にされることを特徴とする請求項１に記載のワゴン。
【請求項３】
前記ワゴン本体はフレームから構成されており、前記ロック機構は、座部取り付けられた係合部材をワゴン本体の前記フレームに係合させることによって、座部を回動不能にさせることを特徴とする請求項１又は２に記載のワゴン。
【請求項４】
ワゴン本体がキャビネットに収納されると、キャビネットの正面と略面一になる化粧部が設置されることを特徴とする請求項１〜３のいずれか一項に記載のワゴン。
【請求項５】
請求項１〜４のいずれかに記載のワゴンが収納され、ワゴンの化粧部とキャビネットの正面とが略面一となり統一された外観となることを特徴とするキャビネットシステム。
【発明の詳細な説明】
【技術分野】
【０００１】
本発明は、キャビネットに収納されるワゴン、並びに、キャビネットおよびワゴンを備えたキャビネットシステムに関するものである。
【背景技術】
【０００２】
従来、厨房装置等のキャビネットシステムに収納することができるワゴンとしては、様々な形状、用途のものがあり、可動式のキャビネット、可動式のゴミ箱などが挙げられる。例えば、特許文献１では、高さ寸法が調整自在のキャビネットに収納することができ、キャビネットの高さに応じて前板の高さを調整することができる収納ワゴンが開示されている。
【特許文献１】特開平１０−５０５１号公報
【発明の開示】
【発明が解決しようとする課題】
【０００３】
これらワゴンの用途には、可動式の椅子として用いる場合や、可動式の脚立として用いる場合がある。これらの用途のワゴンには、作業者が座ったり立ったりするための座部が、ワゴン本体の上部に取り付けられている。そしてその中には、前記座部をワゴン本体に対して回動させることによって、ワゴン本体の内部に設置された収納部を開閉させるタイプのものがある。
【０００４】
このようなタイプのワゴンにあっては、座部がワゴン本体に対して回動自在に取り付けられている。しかし、作業者の力のかけ方によっては、座部が作業者の意図に反して回動するおそれがあり、特にワゴンを脚立として用いる場合などには、安定性を欠く原因となっていた。
【０００５】
そこで本発明は、上記問題点に鑑み、キャビネットに収納された際の美感が優れており、座部がワゴン本体に対して回動するのを防止することができるワゴン、並びに、前記ワゴンが収納された際の美感が優れたキャビネットシステムを提供することを課題とする。
【課題を解決するための手段】
【０００６】
上記課題を解決するため、請求項１の発明では、ワゴン本体と、ワゴン本体を移動させる移動手段と、作業者が座ることができる座部と、ワゴン内部に物を収納するための収納部とを備え、キャビネットに収容可能なワゴンであって、ワゴン本体の上部に設置された座部をワゴン本体に対して相対的に回動させることによって座部の下方に設置された収納部の開口を開閉し、前記座部を閉じた状態で回動不能にさせることができるロック機構を有することを特徴とした。
【０００７】
これにより、座部が作業者の意図に反して回動するのを防止することができ、座部の上に立って作業する場合等であっても、ワゴンの安定性が確保される。
【０００８】
請求項２の発明では、請求項１の発明において、前記座部によって収納部の開口が閉じられると、ロック機構によって座部が自動的に回動不能にされることを特徴とした。
【０００９】
これにより、座部を回動させて収容部の開口を閉じるというワンタッチの操作で、座部を回動しない状態にすることができるため、ワゴンの使い勝手を向上させることができる。
【００１０】
上記請求項１又は２に記載のワゴンは、前記ワゴン本体はフレームから構成されており、前記ロック機構は、座部取り付けられた係合部材をワゴン本体の前記フレームに係合させることによって、座部を回動不能にさせるものであってもよい（請求項３）。
【００１１】
請求項４の発明では、請求項１〜３のいずれかに記載の発明において、ワゴン本体がキャビネットに収納されると、キャビネットの正面と略面一になる化粧部が設置されることを特徴とした。
【００１２】
これにより、ワゴン本体がキャビネットに収容されると、ワゴンおよびキャビネットは一体となって形態的統一性が生じる。そのため、請求項４の発明に係るワゴンは、キャビネットに収容された際の見栄えを良くすることができる。
【００１３】
請求項５の発明では、請求項１〜４のいずれかに記載のワゴンが収納されるキャビネットシステムであって、ワゴンの化粧部とキャビネットの正面とが略面一となり統一された外観となることを特徴とした。
【００１４】
これにより、キャビネットシステム全体が統一感のあるデザインとなり、見栄えをよくすることができる。
【発明の効果】
【００１５】
本発明では、ワゴンがキャビネットに収容された際の意匠性を向上させることができ、且つ、ワゴンの座部がワゴン本体に対して回動するのを防止してワゴンの安定性を向上させることができる。
【発明を実施するための最良の形態】
【００１６】
以下、本実施形態に係るキャビネットシステムＡおよびワゴンＢについて説明する。本実施形態に係るキャビネットシステムＡは、キャビネットＣにワゴンＢを備えている。本発明に係るキャビネットＣは、一般成人の作業者が椅子に座ってキャビネットＣの上面で作業することができる高さのものであり、キャビネットＣの上面に天板や、シンク、洗面ボール等を備えた厨房装置や洗面化粧台等が想定されている。以下の説明では、厨房装置として使用されるキャビネットシステムＡを用いて本実施形態について説明する。
【００１７】
なお、以下の説明では、特に断りのない限り上下の位置関係については、図示するようなキャビネットシステムＡの通常の設置状態を基準とし、前後の位置関係については、ワゴンＢがキャビネットＣに収納される方向を基準とし、ワゴンＢを収納する方向を前方、ワゴンＢを引き出す方向を後方とする。また、左右の位置関係については、ワゴンＢを収納する方向を基準とする。
【００１８】
本実施形態に係るワゴンＢは、図１および図２に示すように、厨房装置のキャビネットＣに収納されるものであり、キャビネットＣの正面１の下端部には、内側にくぼんだ段２を有する蹴込み形状に形成されている。この厨房装置の場合、最下段の引き出しの下端部に段２を有しており蹴込み形状となっている。
【００１９】
キャビネットＣに収容されるワゴンＢは、図３に示すように、アルミニウムのフレームで組み立てられたワゴン本体３と、ワゴン本体３の上方に設けられ作業者が座る座部２６と、前記座部２６の回動を停止させることができるロック機構５０と、ワゴン本体３内部に物を収納するための収納部３７と、ワゴン本体３の後方に設けられた化粧部１７と、ワゴン本体３の下端に設けられた移動手段であるキャスター２２とを備えている。
【００２０】
図４に示すように、ワゴン本体３は、本フレーム５と補助フレーム６と連結フレーム８とを備えている。本実施形態において、本フレーム５は、一本のアルミニウム製パイプを折り曲げることによりされており、左右同一形状の側フレーム部７，７’および左右の側フレーム部７，７’を連結する連結部１０から構成されている。
【００２１】
側フレーム部７の形状は、前方に開口された略「Ｖ」字形状である。さらに説明すると、前後方向に沿って水平に伸びる底部１１と、底部１１の後方端部から上方に向けて垂直に伸びる立上り部１２と、立上り部１２の上端部から前方に上向いて傾斜するように伸びる支持部１３（支持フレーム）とを備え、左右の側フレーム部７の上端が連結部１０によって連結されている。
【００２２】
また、本フレーム５を構成する支持部１３の略中央には、補助フレーム６が後方に向けて上向きに傾斜するように溶接されており、左右の支持部１３，１３’に取り付けられた補助フレーム６，６’は、本フレーム５の連結部１０と平行に伸びる連結フレーム８により連結されている。そして、本実施形態に係るワゴン本体３は、側フレーム部７において底部１１は支持部１３よりもやや前方に突出しており、補助フレーム６は底部１１よりもやや後方に突出している。
【００２３】
また側フレーム部７の底部１１の外側面には、図３に示すように、長尺状のスライドレール１４が設けられており、ワゴンＢが収容されるキャビネットＣ内部には、図１に示すように、これに対応したレール片１５が設けられている。従って、ワゴンＢをキャビネットＣに収容するときには、このスライドレール１４がレール片１５に沿って案内され、スムーズに収容されることとなる。
【００２４】
本実施形態において、ワゴン本体３の背面に取り付けられる化粧部１７は、図３に示すように、上方の化粧板１８と下方の化粧蹴込板１９とを備えている。化粧蹴込板１９はワゴン本体３の立上り部１２に取り付けられ、化粧板１８はワゴン本体３の補助フレーム６の後端部に取り付けられている。従って、化粧板１８は、化粧蹴込板１９よりワゴン本体３の外側に取り付けられ、化粧板１８と化粧蹴込板１９との間に段２０が形成されている。
【００２５】
ワゴン本体３の下端を構成する側フレーム部７の底部１１には、移動手段としてキャスター２２が設けられている。本実施形態では、左右の側フレーム部７，７’の前側、すなわちキャビネットＣに先に収納される側に前キャスター２３が一つずつ取り付けられており、左右の側フレーム部７，７’の後側、すなわち化粧部１７側に後キャスター２４が一つずつ取り付けられている。
【００２６】
ここで、後キャスター２４は、図３に示すように、化粧部１７の段２０よりも前方に取り付けられており、化粧部１７よりもワゴン本体３の内側に取り付けられている。これにより、ワゴンＢがキャビネットＣに収容されたときには、外部からキャスターが視認されない構造となっている。そのため、本実施形態に係るキャビネットシステムＡは、図２に示すように、ワゴンＢがキャビネットＣに収容されると、ワゴンＢがあたかもキャビネットＣの引き出しの一部のような統一された外観を形成する。
【００２７】
ワゴン本体３の上方には作業者が座ることができる座部２６が設置されている。座部２６は、樹脂によって板状に形成されており、図３に示すように、作業者の臀部が載せられる水平領域２７と作業者の臀部が後方に移動するのを制止する傾斜領域２８とに大別される。傾斜領域２８は、座部２６の後端部に形成されており、前方上向きに傾斜している。
【００２８】
本実施形態に係るワゴンＢは、作業者が座ったとき、作業者の臀部が傾斜領域２８に当接するため、傾斜領域２８によって臀部が後方に移動するのが制止される。そのため、ワゴンＢの重心が後方に偏り過ぎず、ワゴンＢの安定性を向上させることができる。また、作業者は、臀部を座部２６の所定の位置に置くことができるので、長時間であっても楽な姿勢で作業を続けることができる。
【００２９】
座部２６は、取付部材３１を用いて本フレーム５の連結部１０に取り付けられ、連結部１０および連結フレーム８、補助フレーム６を介して片持状の支持部１３によって支持されている。
【００３０】
取付部材３１は金属製の部材であり、設置部３２と軸孔部３３とに大別される。設置部３２に挟み込まれるように軸孔部３３が配置されており、軸孔部３３には、連結部１０の外径に対応した凹溝３４が設けられている。そして、取付部材３１は、本フレーム５の連結部１０を前記凹溝３４に嵌め込んで、座部２６の下面前方の所定位置にビスで取り付けられている。このとき、本実施形態に係るワゴンＢの座部２６は、図５に示すように、本フレーム５の連結部１０に対して相対的に回動することができるように取り付けられている。
【００３１】
また、通常の使用状態でワゴン本体３に取り付けられた座部２６は、下面の後端部が連結フレーム８の上部と当接されており、座部２６の水平領域２７が床面と略平行となるように支持されている。そして本実施形態に係る座部２６は、水平領域２７と傾斜領域２８との境界２９が後キャスター２４よりも前方になるように設置される。
【００３２】
さらに、本実施形態に係るワゴンＢでは、ワゴン本体３に設置される化粧部１７の化粧板１８が、やや後方に突出して取り付けられているため、座部２６の大きさを十分に確保した場合であっても、座部２６の後端部と化粧板１８との間には、手を挿入することができる程度の空間３０を生じさせることができる。
【００３３】
本実施形態に係るワゴンＢの内部空間には、収納部３７が設けられており、前記収納部３７は座部２６の下方に位置している。収納部３７は、線材で形成された上方に開口を有する略箱型のものであり、通常の使用状態では図３に示すように、前記開口が前記座部２６によって塞がれている。しかし、本実施形態に係るワゴンＢでは、図３に示す前記空間３０に手を挿入して座部２６の後端部を持ち上げ、図５に示すように本フレーム５の連結部１０を回転軸として回動させ、収納部３７の開口を開放させることにより、収納部３７に物を出し入れすることができる。
【００３４】
ここで、図７に示すように、本実施形態に係るワゴンＢには、ロック機構５０が設けられている。ロック機構５０は、座部２６の傾斜領域２８の下面に取り付けられた係合部材５１を、本フレーム５の連結フレーム８に係合させることによって、座部２６が回動するのを停止させることができる。
【００３５】
図６および図７に示すように、係合部材５１は、作業者によって力が加えられる操作部５２と、本フレーム５の連結フレーム８と係合する係合部５３と、座部２６によって収容部３７の開口３８を閉じる際に連結フレーム８を前記係合部５３に案内するガイド部５４とに大別され、全ての部分が溶接等で接合された剛体である。
【００３６】
係合部５３には、連結フレーム８と係合する鉤型５７が設けられており、係合部５３の上端には、係合部５３と所定の角度で隣接する操作部５２が形成されており、係合部の下端には、座部の下面から離れる方向に傾斜して伸びるガイド部５４が形成されている。そして、係合部材５１の操作部５２と係合部５３との境界近傍にはピン５５が溶接されており、座部２６の下面に形成されたピン挿通孔６５に前記ピン５５を挿通させることにより、前記係合部材５１は、座部２６に対して回動自在に取り付けられている。
【００３７】
前記ピン挿通孔６５は、ピン取付部材６１と座部２６の下面によって構成されている。ピン取付部材６１は金属製の部材であり、設置部６２とピン挿通部６３とに大別される。ピン挿通部６３は、２つの設置部６２の間に挟み込まれるように配置されており、ピン挿通部６３には、ピン５５の外径に対応した凹溝６４が設けられている。そして、ピン取付部材６１は、ピン５５を前記凹溝に嵌め込んで、座部２６の傾斜領域２８の下面の所定位置にビスで取り付けられている。
【００３８】
このとき、ピン５５は、ピン挿通孔６５に回転可能に取り付けられている。そのため、本実施形態に係るワゴンＢでは係合部材５１を、座部２６に対して相対的に回動させることができる。また、ピン５５には巻きバネ５６が取り付けられており、係合部材５１の係合部５３が座部２６の下面に向かう方向に係合部材５１を付勢している。
【００３９】
ロック機構５０の作用について説明すると、図７（ａ）に示すように、座部２６を回動させて収容部３７の開口３８を閉じようとする際、座部２６を回動し下降させると、座部２６に取り付けられた係合部材５１のガイド部５４が、本フレーム５の連結フレーム８に斜めに当たる。このとき、座部２６の荷重に対する反力が係合部材５１のガイド部５４に対して後方に働く。
【００４０】
ここで、ピン５５に取り付けられた巻きバネ５６としては、付勢力が前記荷重による反力よりも小さいものが使用されている。そのため、図７（ａ）に示すように、座部２６が下降するのと同時に、係合部材５１はピン５５を中心に反時計回り回動する。
【００４１】
そして、図７（ｂ）に示すように、係合部材５１が回動して、連結フレーム８がガイド部５４に沿ってガイド部５４と係合部５３との境界部分にまで達すると、係合部材５１は、連結フレーム８による支持を失う。そのため、その後は、座部２６の下降とともに、係合部材５１はピン５５を中心に時計回りに回動する。その結果、図７（ｃ）に示すように、本フレーム５の連結フレーム８が、係合部材５１の係合部５３に設けた鉤型５７に嵌まり込み、座部２６の回動が防止されることとなる。
【００４２】
また逆に、座部２６を回動させて収容部３７の開口３８を開けようとする際、作業者は、図８（ａ）に示すように、係合部材５１の操作部５２に対して力Ｆを加えて、ピン５５を中心に係合部材５１を反時計回りに回動させ、係合部材５１の係合部５３と連結フレーム８との係合を外すことができる。その後、作業者は、図８（ｂ）に示すように、そのまま座部２６を持ち上げて、座部２６を回動させることにより、収納部３７の開口３８を開けることができる。
【００４３】
本実施形態に係るワゴンＢには、図３に示すように、化粧板１８の上端に、その幅方向の全長に渡って断面略コ字型で長尺形状のライン状把手３９が設けられている。なお、この化粧板１８、化粧蹴込板１９及びライン状把手３９は、キャビネットＣと同じ素材を用いて形成することが望ましく、そうすることでワゴンＢが収納されたキャビネットシステムＡ全体に統一感を持たせることができる。従って、把手の形状もライン状把手３９に限定されるわけではなく、キャビネットＣの引き出しに設けられた把手の形状に対応させることが望ましい。
【００４４】
また、側フレーム部７の底部１１は、ワゴン本体３においてやや前方に突出しているが、この突出した部分は、作業者が足を置ける足置き部４１となっている。本実施形態に係るワゴンＢでは、鉄製の板材が足置き部４１として取り付けられており、足置き部４１がワゴンＢ全体の重心を前方に偏らせるおもりとしての機能を果たしている。
【００４５】
本実施形態に係るワゴンＢにおいては、化粧部１７の下端にストッパー４４が設けられている。そのため、仮にワゴンＢの後方、すなわち化粧部１７側にワゴンＢの重心が偏ったとしても、ストッパー４４が床に当接し、ワゴンＢがそれ以上傾くことを防止する。
【００４６】
本実施形態に係るワゴンＢは、化粧部１７の下端にキャビネットＣの蹴込み形状に対応させた段２０が形成されている。そのため、蹴込み形状を有するキャビネットＣにワゴンＢを収容すると、ワゴンＢの化粧部１７とキャビネットＣの正面１とが略面一となり、ワゴンＢとキャビネットＣとで構成されるキャビネットシステムＡの外観を統一されたものにすることができる。すなわち、キャビネットＣにワゴンＢが収容されると、ワゴンＢは、キャビネットＣの引き出し部分と区別がつかなくなり、キャビネットシステムＡ全体のデザインに統一感が生まれ、その見栄えを良くすることができる。
【００４７】
また、上記実施形態において、座部２６は本フレーム５の連結部１０に取付部材３１を介して回動自在に取り付けられたが、本発明はこのような構成に限られるわけではない。例えば、ワゴン本体３の後方に位置する連結フレーム８に、前記座部２６を回動自在に取り付けてもよい。この場合、ロック機構５０については、係合部材５１を座部２６の下面前方に取り付け、係合部材５１が本フレーム５の連結部１０と係合する構成にすることができる。
【００４８】
本願発明は上記実施形態のように厨房装置への使用に限定されるものではなく、例えば、洗面化粧台のようなキャビネットシステムＡについて使用してもよい。また、キャビネットＣおよびそれに対応したワゴンＢの化粧部１７の形状についても上記実施形態に限定されず、例えば、化粧部１７が化粧板１８と化粧蹴込板１９に分割されておらず、一体に形成されていてもよい。さらに、用途についても作業者が座って作業するための椅子としての用途だけではなく、作業者が座部２６の上方に立って作業するための脚立としての用途もある。
【図面の簡単な説明】
【００４９】
【図１】本実施形態に係るキャビネットシステムにおいてワゴンが引き出された状態を示す斜視図である。
【図２】本実施形態に係るキャビネットシステムにおいてワゴンが収納された状態を示す斜視図である。
【図３】本実施形態に係るワゴンの通常の状態を示す側面図である。
【図４】本実施形態に係るワゴン本体を構成するフレームを示す概略図である。
【図５】本実施形態に係るワゴンの座部を持ち上げた状態を示す側面図である。
【図６】ロック機構を構成する係合部材を示す概略図である。
【図７】（ａ）〜（ｃ）は、座部を閉じる際のロック機構の状態を示す側面図である。
【図８】（ａ），（ｂ）は、座部を開ける際のロック機構の状態を示す側面図である。
【符号の説明】
【００５０】
１    キャビネットの正面
３    ワゴン本体
８    連結フレーム
１７  化粧部
２２  キャスター（移動手段）
２６  座部
３７  収容部
３８  開口
５０  ロック機構
５１  係合部材
Ａ    キャビネットシステム
Ｂ    ワゴン
Ｃ    キャビネット
【図１】
2008113794.tif 000003
【図２】
2008113794.tif 000004
【図３】
2008113794.tif 000005
【図４】
2008113794.tif 000006
【図５】
2008113794.tif 000007
【図６】
2008113794.tif 000008
【図７】
2008113794.tif 000009
【図８】
2008113794.tif 000010